(57)【特許請求の範囲】
【請求項１】
ロードセル本体部を耐圧ケースに収納し、該ロードセル本体部の入力軸を該ケースの入力軸用開口部から導出し、かつ該入力軸と入力軸用開口部との間に防爆上の隙間を有する防爆型ロードセルにおいて、該入力軸用開口部に隙間調整用ブッシュを遊動自在に設け、該隙間調整用ブッシュと前記入力軸との間に防爆上の隙間を形成してなることを特徴とする防爆型ロードセル。
【請求項２】
前記耐圧ケースに、前記隙間調整用ブッシュの一部を保持するブッシュ保持部を設けてなる請求項１に記載の防爆型ロードセル。
【請求項３】
前記入力軸の前記耐圧ケースから導出した部位と、該耐圧ケースとの間を伸縮性を有する水密性カバーで覆ってなる請求項１または２に記載の防爆型ロードセル。
【請求項４】
前記隙間調整用ブッシュが、前記入力軸と同心の筒状部と、前記ケースのブッシュ保持部に保持される円板状部を有する請求項１〜３のいずれかの項に記載の防爆型ロードセル。
【発明の詳細な説明】
【０００１】
【発明の属する技術分野】
本発明は、防爆型ロードセルに係り、より詳細には、工業用はかり、トルク計、振動・加速度・圧力の検出器として使用されるロードセルの入力軸に加わる荷重（圧力やねじれ）の変化に伴う、該入力軸の揺れ（変動）によっても防爆上の隙間が有効に維持できる防爆型ロードセルに関する。
【０００２】
【従来の技術】
従来、防爆型ロードセルは、ロードセル本体部を耐圧ケースに収納し、該ロードセル本体部の入力軸を該ケースの入力軸用開口部から導出し、かつ該入力軸と入力軸用開口部との間に防爆上の隙間を有する構成からなる。そして、該ケースを支持体に固定すると共に、該入力軸に荷重受け体（台）を取り付けて、該荷重受け体（台）に加わる荷重を入力軸を介してロードセル本体部で、該荷重負荷を検出し、重量等を計測することができる。また防爆型ロードセルは、該入力軸と入力軸用開口部との間に防爆上の隙間を有するので、ガソリンスタンド、ガス充填スタンド等の引火性（爆発性）雰囲気下での計測装置として利用することができる。
【０００３】
【発明が解決しようとする課題】
しかし、前述したような防爆型ロードセルの場合、次のような課題がある。すなわち、
▲１▼  入力軸と、ケースの入力軸用開口部との間に防爆上の隙間を有するものの、荷重負荷により該入力軸が作動した際、該入力軸が揺れ、該ケースと入力軸との間の隙間が維持できない場合をある。
▲２▼  また所定の防爆上の隙間を維持するには、該隙間を広くする必要があるが、該隙間が広くなると防爆機能が低下する。
▲３▼  入力軸の軸芯と、ケースの入力軸用開口部との位置合わせ（芯出し）が難しく、所定の防爆上の隙間を形成できないことがある。
等の課題がある。
【０００４】
本発明は、以上のような課題に対処して創作したものであって、その目的とする処は、入力軸の作動の際の揺れによっても防爆上の隙間が維持できる防爆型ロードセルを提供することにある。
【０００５】
【課題を解決するための手段】
上記課題を解決するための手段としての本発明の防爆型ロードセルは、ロードセル本体部を耐圧ケースに収納し、該ロードセル本体部の入力軸を該ケースの入力軸用開口部から導出し、かつ該入力軸と入力軸用開口部との間に防爆上の隙間を有する防爆型ロードセルにおいて、該入力軸用開口部に隙間調整用ブッシュを遊動自在に設け、該隙間調整用ブッシュと前記入力軸との間に防爆上の隙間を形成してなることを特徴とする。
また本発明の防爆型ロードセルは、前記発明または以下の各発明において、▲１▼前記耐圧ケースに、前記隙間調整用ブッシュの一部を保持するブッシュ保持部を設けてなる構成、▲２▼前記入力軸の前記耐圧ケースから導出した部位と、該耐圧ケースとの間を伸縮性を有する水密性カバーで覆ってなる構成、▲３▼前記隙間調整用ブッシュが、前記入力軸と同心の筒状部と、前記ケースのブッシュ保持部に保持される円板状部を有する構成、も特徴とする。
【０００６】
ここで、前記隙間調整用ブッシュは、その内径ｄ1 が、前記入力軸の外径ｄ2 より小さく、また外径ｄ3 が、前記ケースに形成してある入力軸用開口部の開口径ｄ4 より小さい筒状部分を有し、該筒状部分を前記入力軸に被嵌し、該入力軸用開口部内で揺動できる形態としている。前記ケースは、一般的なロードセル収納ケースと同じく、ロードセル本体部が収納できる形態で、該ロードセル本体部からの検出信号取り出し用、および電源供給用ケーブル（リード線）を導出するリード取り出し部を有する。またロードセルは、一般的な抵抗線ひずみ計、その他の圧電素子を用いた荷重計測計を用いることができる。
更に、前記隙間調整用ブッシュを入力軸用開口部内で遊動自在に保持して防爆上の隙間を維持する手段としては、前記ケースの入力軸用開口部の開口壁に横溝を設け、該横溝にブッシュの一部を嵌入した形態、あるいは該ケースの入力軸用開口部にブッシュ取付部材を固定し、該ケースとブッシュ取付部材との間にブッシュ保持横溝を形成した形態、を用いることができる。
【０００７】
そして、本発明の防爆型ロードセルは、一般的なロードセルと同じく、例えば工業用はかりとして使用する場合は、入力軸に荷重受け台（上ざら）を載せ、該荷重受け台に被計測物を載せることで、その荷重（重量）を計測できる。この場合において、該入力軸が上下方向に移動するが、その際、前記ケースに形成されている入力軸用開口部において、該入力軸に揺れが生じるが、遊動自在に配置してある隙間調整用ブッシュによって防爆上の隙間が維持できる。
【０００８】
【発明の効果】
以上の説明より明らかなように、本発明の防爆型ロードセルによれば、前記入力軸用開口部に隙間調整用ブッシュを遊動自在に設け、該隙間調整用ブッシュと前記入力軸との間に防爆上の隙間を形成しているので、該入力軸に揺れが生じても隙間調整用ブッシュの遊動によって防爆上の隙間が維持できるという効果を有する。また前記入力軸用開口部に遊動自在の隙間調整用ブッシュを介して防爆上の隙間を形成しているので、入力軸の軸芯と、ケースの入力軸用開口部との位置合わせ（芯出し）が容易に行えるという効果を有する。
また前記発明において、前記耐圧ケースに前記隙間調整用ブッシュの一部を保持するブッシュ保持部を設けてなる場合は、前記入力軸用開口部内に隙間調整用ブッシュを遊動自在に確実に保持できることから、よりいっそう防爆上の隙間が維持できるという効果を有する。また前記入力軸の前記耐圧ケースから導出した部位と、該耐圧ケースとの間を伸縮性を有する水密性カバーで覆ってなる場合は、ロードセル自体の水密性を保持でき、更に前記隙間調整用ブッシュが、前記入力軸と同心の筒状部と、前記ケースのブッシュ保持部に保持される円板状部を有する場合は、より確実に入力軸用開口部内に隙間調整用ブッシュを遊動自在に確実に保持できるという効果を有する。
【０００９】
【発明の実施の形態】
以下、図面を参照しながら、本発明を具体化した好ましい実施の形態について説明する。ここに、図１〜図３は、本発明の一実施形態を示し、図１は防爆型ロードセルの概略断面図、図２は図１の防爆部の拡大断面図、図３は図２の一部を誇張した断面図である。なお、本発明は、上述した実施形態に限定されるものでなく、本発明の主旨を逸脱しない範囲内で変形実施できる構成を含む。
【００１０】
本実施形態の防爆型ロードセルは、爆発性雰囲気下で使用する工業用はかり（例えば、ＬＰガス充填所でのガス充填ボンベ重量計測装置）として用いる場合のロードセルであって、図１に示すように、耐圧ケース１と、ロードセル本体部２、および防爆部３の、３つの部分を有する。
【００１１】
耐圧ケース１は、ロードセル本体部２を収納するケースで、ベース１ａと、カバー１ｂを有する。ベース１ａとカバー１ｂは、カバー取付ネジ４によって気密一体化してある。そして、それぞれ鉄板等の金属製で、他の機器に固定するためのボルト孔を備えた取付部４を有している。またロードセル本体部２からの検出信号取り出し用・電源供給用ケーブル（リード）を導出するリード引出金具５を取り付けるためのリード取付部６と、ロードセル本体部２を作動させるための入力軸７を導出させる入力軸用開口部８を備えている。
【００１２】
ロードセル本体部２は、一般的なロードセルからなり、耐圧ケース１の内部に固定してある。そして、ロードセル本体部２は、検出信号取り出し用・電源供給用ケーブルを介してリード取付部６のリード引出金具５に接続してあり、また荷重を入力するための入力軸７を有している。この入力軸７の先端は、耐圧ケース１の入力軸用開口部８からケース外に導出し、入力軸用開口部８と入力軸７は防爆部３を構成している。
【００１３】
防爆部３は、図２に示すように、耐圧ケース１の入力軸用開口部８と、入力軸７と、間隔調整用ブッシュ９、およびブッシュ保持部１０で構成している。入力軸用開口部８は、入力軸７と間隔調整用ブッシュ９を配することができる広さの開口で、入力軸７と間隔調整用ブッシュ９を配した状態で、入力軸７と間隔調整用ブッシュ９の外周面９ａとの間に防爆上の隙間δ1 を形成しており、また間隔調整用ブッシュ９の外周面９ｂと入力軸用開口部８の開口内周面８ａとの間に調整用の隙間δ2 を形成している。すなわち、入力軸用開口部８の開口径ｄ4 が、防爆上の隙間δ1 と調整用の隙間δ2 および間隔調整用ブッシュ９の肉厚ｔとの合計値となる。入力軸７は、鉄鋼製の円柱状軸からなる。間隔調整用ブッシュ９は、アルミニウムあるいは青銅製のボスで、その内径ｄ1 が、入力軸７の外径ｄ2 より小さく、また外径ｄ3 が、耐圧ケース１に形成してある入力軸用開口部８の開口径ｄ4 より小さい円筒状部１１と、ブッシュ保持部１０に保持される円板状部１２を有する。またブッシュ保持部１０は、耐圧ケース１の入力軸用開口部８の開口と同心の開口を有し、段差１３ａを備えた円筒状部材１３と、耐圧ケース１の下面との間で形成している。すなわち、耐圧ケース１の入力軸用開口部８に円筒状部材１３をボルト１４で固定することで段差１３ａの部分が横溝１５を形成し、この横溝１５がブッシュ保持部１０を構成している。このブッシュ保持部１０を形成するための円筒状部材１３の開口内周面１３ｂと入力軸７との間に形成される隙間δ3 は、防爆上の隙間δ1 より広く形成してある。また円板状部１２の肉厚ｔ2 は、ブッシュ保持部１０を形成する横溝１５の高さｔ1 より小さく、また円板状部１２の長さｗ2 は、横溝１５の奥行きｗ1 と隙間δ3 の合計距離より短く、円板状部１２をブッシュ保持部１０を形成する横溝１５内で上下方向、左右方向に遊動自在としている。
また入力軸７の耐圧ケース１から導出した部位には、水密性リング１６の一端が固定され、その他端が円筒状部材１３に固定されている。これによって、ロードセル自体に水密性を付与している。水密性リング１６は、伸縮性（あるいは屈伸性）を備えた樹脂製リングで形成してある。
【００１４】
そして、本実施形態の防爆型ロードセルは、入力軸７に荷重受け台（上ざら）を載せ、荷重受け台に被計測物を載せると、その荷重が入力軸７によりロードセル本体部２に伝わり、ロードセル本体部２によって該被計測物の重量が計測できる。この場合において、入力軸７が上下方向に移動し、その際、耐圧ケース１の入力軸用開口部８において、入力軸７に揺れが生じるが、ブッシュ保持部１０に遊動自在に保持されている隙間調整用ブッシュ９によって防爆上の隙間が維持できる。これに対して、前述した従来の防爆型ロードセルの場合、入力軸と入力軸用開口部との間に形成されている防爆上の隙間が固定されているため、該入力軸が揺れた場合、該防爆上の隙間が維持できない場合が生じて、安全性に問題が生じるケースが発生する。従って、本実施形態の防爆型ロードセルによれば、爆発性雰囲気下での重量計測等が安全に行えることが確認できる。
【図面の簡単な説明】
【図１】本発明の一実施形態を示す防爆型ロードセルの概略断面図である。
【図２】図１の防爆部の拡大断面図である。
【図３】図２の一部を誇張した断面図である。
【符号の説明】
１・・・耐圧ケース、１ａ・・・ベース、１ｂ・・・カバー、２・・・ロードセル本体部、３・・・防爆部、４・・・取付部、５・・・リード引出金具、６・・・リード取付部、７・・・入力軸、８・・・入力軸用開口部、８ａ・・・入力軸用開口部８の開口内周面、９・・・間隔調整用ブッシュ、９ａ・・・間隔調整用ブッシュ９の外周面、１０・・・ブッシュ保持部、δ1 ・・・防爆上の隙間、δ2 ・・・調整用の隙間、１１・・・円筒状部、１３ａ・・・段差、１２・・・円板状部、１３・・・円筒状部材、１４・・・ボルト、１５・・・横溝、１６・・・水密性リング
【図１】
0003929160.tif 000002
【図２】
0003929160.tif 000003
【図３】
0003929160.tif 000004